(57)【要約】【課題】サイドフラップの孔部から把手部の両端部に形成された係止部が外れ難くできる把手付き紙箱の提供を課題とする。【解決手段】ボール紙等の厚紙類で構成され、正面板２２、背面板２６及び一対の側面板２４、２８を有し、物品Ｐが収納される把手付き紙箱１０において、正面板２２及び背面板２６の何れか一方の上縁に連設されるとともに、正面板２２及び背面板２６の何れか他方に接着される構成とされ、上面に把手部１５が形成された天部１８と、一対の側面板２４、２８の上縁に連設され、把手部１５の両端部に形成された係止部１４、１６が挿入される孔部４４Ａ、４６Ａを有する一対のサイドフラップ４４、４６と、正面板２２及び背面板２６の前記何れか他方の上縁に連設され、天部１８と物品Ｐとの間に配置されて、把手部１５及び係止部１４、１６を上方に向かって付勢する付勢部１３と、を備える。【選択図】図１０
2009286438.tif 000002
【特許請求の範囲】
【請求項１】
ボール紙等の厚紙類で構成され、正面板、背面板及び一対の側面板を有し、物品が収納される把手付き紙箱であって、
前記正面板及び前記背面板の何れか一方の上縁に連設されるとともに、前記正面板及び前記背面板の何れか他方に接着される構成とされ、上面に把手部が形成された天部と、
前記一対の側面板の上縁に連設され、前記把手部の両端部に形成された係止部が挿入される孔部を有する一対のサイドフラップと、
前記正面板及び前記背面板の前記何れか他方の上縁に連設され、前記天部と前記物品との間に配置されて、前記把手部及び前記係止部を上方に向かって付勢する付勢部と、
を備えたことを特徴とする把手付き紙箱。
【請求項２】
前記付勢部は、
前記正面板及び前記背面板の前記何れか他方の上縁に連設される付勢板と、
前記付勢板に折罫を介して連設され、該折罫に沿って折り曲げられることで該付勢板に対して反発力を生じる反発フラップと、
を有し、
前記反発フラップ及び前記付勢板の何れか一方が前記物品に支持されることにより、前記反発フラップ及び前記付勢板の何れか他方が上方に向かって付勢されることで、前記把手部及び前記係止部を上方に向かって付勢することを特徴とする請求項１に記載の把手付き紙箱。
【請求項３】
前記付勢部による付勢力は、前記把手部の直下から加えられることを特徴とする請求項１又は請求項２に記載の把手付き紙箱。
【請求項４】
前記把手部は、２枚の把手板を貼り合わせて構成されていることを特徴とする請求項１〜請求項３の何れか１項に記載の把手付き紙箱。
【発明の詳細な説明】
【技術分野】
【０００１】
本発明は、天部に把手部が形成されている把手付き紙箱に関する。
【背景技術】
【０００２】
天部に把手部が形成されている把手付き紙箱は従来から知られている（例えば、特許文献１参照）。特許文献１に記載のような構成の把手付き紙箱は、サイドフラップに形成された孔部に、把手部の両端部に形成された係止部を挿入して係止させるようになっている。そのため、把手部を折り畳めるように、サイドフラップの孔部が比較的大きく形成されていると、把手部の両端部に形成された係止部が、その孔部から外れやすくなる問題があった。
【特許文献１】実公平７−１４１８１号公報
【発明の開示】
【発明が解決しようとする課題】
【０００３】
そこで、本発明は、上記問題点に鑑み、サイドフラップの孔部から把手部の両端部に形成された係止部が外れ難くできる把手付き紙箱を得ることを目的とする。
【課題を解決するための手段】
【０００４】
上記の目的を達成するために、本発明に係る請求項１に記載の把手付き紙箱は、ボール紙等の厚紙類で構成され、正面板、背面板及び一対の側面板を有し、物品が収納される把手付き紙箱であって、前記正面板及び前記背面板の何れか一方の上縁に連設されるとともに、前記正面板及び前記背面板の何れか他方に接着される構成とされ、上面に把手部が形成された天部と、前記一対の側面板の上縁に連設され、前記把手部の両端部に形成された係止部が挿入される孔部を有する一対のサイドフラップと、前記正面板及び前記背面板の前記何れか他方の上縁に連設され、前記天部と前記物品との間に配置されて、前記把手部及び前記係止部を上方に向かって付勢する付勢部と、を備えたことを特徴としている。
【０００５】
請求項１に記載の発明によれば、付勢部により把手部及び係止部が上方に向かって付勢されるので、サイドフラップの孔部に挿入された係止部は、その孔部の上縁部に強固に係止される。したがって、サイドフラップの孔部から、その係止部が外れ難くできる。
【０００６】
また、請求項２に記載の把手付き紙箱は、請求項１に記載の把手付き紙箱において、前記付勢部が、前記正面板及び前記背面板の前記何れか他方の上縁に連設される付勢板と、前記付勢板に折罫を介して連設され、該折罫に沿って折り曲げられることで該付勢板に対して反発力を生じる反発フラップと、を有し、前記反発フラップ及び前記付勢板の何れか一方が前記物品に支持されることにより、前記反発フラップ及び前記付勢板の何れか他方が上方に向かって付勢されることで、前記把手部及び前記係止部を上方に向かって付勢することを特徴としている。
【０００７】
請求項２に記載の発明によれば、簡易な構成で、把手部及び係止部を上方に向かって付勢することができる。
【０００８】
また、請求項３に記載の把手付き紙箱は、請求項１又は請求項２に記載の把手付き紙箱において、前記付勢部による付勢力が、前記把手部の直下から加えられることを特徴としている。
【０００９】
請求項３に記載の発明によれば、把手部及び係止部を上方に向かって付勢することが良好にできる。
【００１０】
また、請求項４に記載の把手付き紙箱は、請求項１〜請求項３の何れか１項に記載の把手付き紙箱において、前記把手部が、２枚の把手板を貼り合わせて構成されていることを特徴としている。
【００１１】
請求項４に記載の発明によれば、把手部が、２枚の把手板を貼り合わせて構成されているので、製品として見栄えが良い。また、係止部が孔部の上縁部に強固に係止されるので、２枚の把手板が貼り合わされて構成された把手部であっても、その把手板が剥がれることがない。したがって、製品としての品質を保つことができる。
【発明の効果】
【００１２】
以上のように、本発明によれば、サイドフラップの孔部から把手部の両端部に形成された係止部が外れ難くできる把手付き紙箱を提供することができる。
【発明を実施するための最良の形態】
【００１３】
以下、本発明の最良な実施の形態について、図面に示す実施例を基に詳細に説明する。なお、各図において、矢印ＦＲで示す方向を前方向とし、その前方向を向く面を「正面」とする。そして、それとは逆の後方向を向く面を「背面」とする。また、矢印ＵＰで示す方向を上方向とし、上部側を「天部」、下部側を「底部」とする。
【００１４】
図１は本実施形態に係る把手付き紙箱のブランク板を示す展開図であり、図２は把手付き紙箱の胴部を組み立てる工程を示す概略斜視図である。また、図３は把手付き紙箱を組み立てたときの底部の構造を示す概略斜視図であり、図４は把手付き紙箱を組み立てたときの天部（把手部）の構造を示す概略斜視図である。
【００１５】
まず、把手付き紙箱１０のブランク板２０について説明する。ブランク板２０は所定厚さ（坪量）のボール紙で構成され、後述するように、各面板等が複数の折罫又はミシン目等によって区切られている。すなわち、図１で示すように、横長の長方形状とされた正面板２２の一方の側縁には折罫６０を介して略長方形状の貼着フラップ３０が連設され、他方の側縁には折罫６２を介して縦長の長方形状とされた側面板２４が連設されている。
【００１６】
そして、その側面板２４の側縁には折罫６４を介して横長の長方形状とされた背面板２６が連設され、その背面板２６の側縁には折罫６６を介して縦長の長方形状とされた側面板２８が連設されている。なお、正面板２２と背面板２６は合同形状である。これら正面板２２、側面板２４、背面板２６、側面板２８、貼着フラップ３０により、把手付き紙箱１０の胴部１１が構成されるようになっている。
【００１７】
すなわち、図２で示すように、折罫６０、６２、６４、６６を山折りし、貼着フラップ３０の外面（表面）を側面板２８の内面（裏面）にホットメルト等の接着剤によって接着することにより、把手付き紙箱１０の四角筒状の胴部１１が形成されるようになっている。なお、貼着フラップ３０は正面板２２ではなく、側面板２８の側縁に折罫を介して連設されていてもよい。
【００１８】
図１に戻って、正面板２２の下縁には折罫６８を介して前部底面板３２が連設され、側面板２４の下縁には折罫７０を介して台形状の側部底面板３４が連設されている。この側部底面板３４の外面（表面）には、前部底面板３２の一方（側部底面板３４側）の端部に連設された略台形状の貼着フラップ３３の内面（裏面）が、ホットメルト等の接着剤によって接着されるようになっている。
【００１９】
また、背面板２６の下縁には折罫７２を介して後部底面板３６が連設され、側面板２８の下縁には折罫７４を介して台形状の側部底面板３８が連設されている。この側部底面板３８の外面（表面）には、後部底面板３６の一方（側部底面板３８側）の端部に連設された略台形状の貼着フラップ３７の内面（裏面）が、ホットメルト等の接着剤によって接着されるようになっている。
【００２０】
貼着フラップ３３、３７は合同形状であり、それぞれ折罫７６、７８を介して、前部底面板３２、後部底面板３６に連設されている。そして、各折罫７６、７８には、所定長さの切込部７６Ａ、７８Ａが複数（図示のものは２個）形成されている。これにより、把手付き紙箱１０を廃棄するときなど、その折罫７６、７８に沿って底部１２を折り畳み易くできる構成である。
【００２１】
また、前部底面板３２と後部底面板３６も合同形状であり、前部底面板３２と後部底面板３６の下縁中央部から、貼着フラップ３３、３７が連設されていない他方の端部側にかけて、組み立てたときに互いの内面（裏面）側に挿入される挿入フラップ３２Ａ、３６Ａが一体に形成されている。そして、これら前部底面板３２、側部底面板３４、後部底面板３６、側部底面板３８、貼着フラップ３３、３７により、把手付き紙箱１０の底部１２が構成されるようになっている。
【００２２】
すなわち、折罫６０、６２、６４、６６を山折りする前に、折罫６８、７０、７２、７４を山折りし、折罫７６、７８を谷折りしておく。そして、図２で示すように、折罫６６を山折りしつつ、側部底面板３８の外面（表面）に貼着フラップ３７の内面（裏面）をホットメルト等の接着剤により接着する。次いで、折罫６２を山折りしつつ、側部底面板３４の外面（表面）に貼着フラップ３３の内面（裏面）をホットメルト等の接着剤により接着し、貼着フラップ３０の外面（表面）を側面板２８の内面（裏面）にホットメルト等の接着剤により接着する。
【００２３】
その後、折罫６０、６４を山折りしつつ、胴部１１を起こすことにより、図３で示すように、前部底面板３２の挿入フラップ３２Ａが後部底面板３６の内面（裏面）側に自然に挿入され、後部底面板３６の挿入フラップ３６Ａが前部底面板３２の内面（裏面）側に自然に挿入される。これにより、把手付き紙箱１０の底部（ワンタッチ底）１２が形成される。
【００２４】
図１に戻って、正面板２２の上縁にはミシン目８０を介して付勢板４０が連設され、その付勢板４０には折罫８２を介して反発フラップ４２が連設されている。この付勢板４０及び反発フラップ４２で付勢部１３が構成されるが、この付勢部１３については後で詳述する。また、側面板２４の上縁には折罫８４を介してサイドフラップ４４が連設され、側面板２８の上縁にも折罫８６を介してサイドフラップ４６が連設されている。
【００２５】
一対であるサイドフラップ４４、４６は合同形状であり、各サイドフラップ４４、４６には、上方に向かって幅広となる略扇形状の孔部４４Ａ、４６Ａが形成されている。各孔部４４Ａ、４６Ａは、組み立てられて対向したときに、合同形状となるように形成されており、それぞれ幅方向中央部を通る上下方向の中心線Ｃより背面板２６側に傾くように穿設されている。そして、この孔部４４Ａ、４６Ａに、後述する係止部１４、１６が挿入されるようになっている。
【００２６】
また、背面板２６の上縁には折罫８８を介して後部天面板４８が連設されており、後部天面板４８には折罫９０を介して後部把手板５０が連設されている。なお、折罫９０の中央部には、後部把手板５０側へ略ホームベース形状に切込部５０Ａが形成されており、折罫９０に沿って折り曲げたときに、後部把手板５０の中央部の一部が切り欠かれて、孔部５０Ｂが形成され、かつ後部天面板４８の中央部に略ホームベース形状に突出する突出部４８Ａが形成されるようになっている。
【００２７】
また、後部把手板５０には折罫９２を介して前部把手板５２が連設されており、後部把手板５０と前部把手板５２は合同形状になっている。そして、前部把手板５２には折罫９４を介して前部天面板５４が連設されており、前部天面板５４は後部天面板４８と合同形状になっている。更に、折罫９４の中央部から前部把手板５２側には、突出部４８Ａと合同形状となる略ホームベース形状の孔部５２Ａが形成されている。この孔部５２Ａと、切込部５０Ａによってできた孔部５０Ｂとが連通することにより、後述する掛止孔１７（図４参照）が形成されるようになっている。
【００２８】
また、後部把手板５０及び前部把手板５２の両サイドは所定の形状（図１のブランク板２０で示すように、折罫９２を折り曲げない状態では略矢印形状）に切り欠かれており、後述するように、後部把手板５０と前部把手板５２とが貼り合わされたときに、各サイドフラップ４４、４６の各孔部４４Ａ、４６Ａへ挿入される鈎状の係止部１４、１６がそれぞれ形成されるようになっている。
【００２９】
また、前部天面板５４には折罫９６を介して横長の長方形状とされた貼着板５６が連設されており、この貼着板５６の連設方向略中央部には、開封用のジッパー５８が幅（横）方向に形成されている。したがって、このジッパー５８よりも先端部側の貼着板５６の一部が、正面板２２にホットメルト等の接着剤によって接着される構成である。そして、後部把手板５０及び前部把手板５２により、把手付き紙箱１０の把手部１５及び係止部１４、１６が構成されるようになっている。
【００３０】
すなわち、図４で示すように、折罫８８を山折り、折罫９０を谷折り、折罫９２を山折り、折罫９４を谷折り、折罫９６を山折りして、後部把手板５０の内面（裏面）と前部把手板５２の内面（裏面）とをホットメルト等の接着剤により貼り合わせる。なお、このとき、突出部４８Ａは、前部天面板５４の内面（裏面）側に配置され（後述する図５〜図１０では省略されている）、孔部５２Ａと孔部５０Ｂとが連通する。
【００３１】
これにより、店頭などに設けられる金属製の支持部材（図示省略）や手指等が挿入可能な掛止孔１７を有する把手部１５が形成され、サイドフラップ４４、４６の孔部４４Ａ、４６Ａに挿入される鈎状の係止部１４、１６が形成される。そして、把手部１５、係止部１４、１６、後部天面板４８及び前部天面板５４により、把手付き紙箱１０の天部１８が構成される。
【００３２】
こうして底部１２が形成され、把手部１５及び係止部１４、１６を備えた天部１８が形成された把手付き紙箱１０において、次に物品を収納して封止する工程（作用）について説明する。収納する物品としては、例えば所定の枚数を１束としたインクジェットペーパーＰが好適である。すなわち、この紙箱１０には、図５で示すように、例えば５０枚を１束としたインクジェットペーパーＰが左右に４束ずつ、合計８束収納される。
【００３３】
インクジェットペーパーＰが８束収納されたら、図６で示すように、ミシン目８０、折罫８２を山折りする。そして、図７で示すように、インクジェットペーパーＰの上部に付勢板４０を折り込み、反発フラップ４２の外面（表面）を、そのインクジェットペーパーＰの上部に当接させる。そして、図８で示すように、後部天面板４８及び前部天面板５４を付勢板４０の上面に被せ、ジッパー５８よりも先端部側の貼着板５６の一部を正面板２２にホットメルト等の接着剤によって接着する。
【００３４】
その後、図９で示すように、折罫８４、８６を山折りし、係止部１４、１６を各サイドフラップ４４、４６の孔部４４Ａ、４６Ａに挿入する。これにより、インクジェットペーパーＰを収納した把手付き紙箱１０が封止され（完成され）、ジッパー５８を破断しないと、開封できないようになる不正開封防止状態となる。すなわち、店頭などに陳列される製品となる。
【００３５】
ところで、こうして封止された把手付き紙箱１０の天部１８を構成する後部天面板４８及び前部天面板５４の内面（裏面）には、図１０で示すように、インクジェットペーパーＰによって下方から支持された反発フラップ４２により、上方側へ向かう押圧力（付勢力）が作用している。したがって、把手部１５が上方に向かって付勢され、係止部１４、１６が上方へ向かって付勢されることになる。
【００３６】
つまり、これにより、孔部４４Ａ、４６Ａに挿入された係止部１４、１６は、その上側の鈎状部分（凹状部分）１４Ａ、１６Ａ（図８、図９参照）が、サイドフラップ４４、４６の孔部４４Ａ、４６Ａの上縁部４４Ｂ、４６Ｂ（図４〜図７参照）に強固に係止される。よって、店頭などにおいて掛止孔１７に支持部材が挿通されたり、掛止孔１７に手指等が挿入されて、把手部１５が吊り下げられていなくても、この係止部１４、１６は孔部４４Ａ、４６Ａから外れ難くなる。
【００３７】
なお、反発フラップ４２により上方に向かう付勢力が形成される位置は、把手部１５の直下とされることが望ましい（図１０参照）。これによれば、把手部１５及び係止部１４、１６を上方に向けて良好に付勢することができる。また、付勢板４０及び反発フラップ４２は、図示のように正面板２２の幅方向全体に亘って１個だけ形成されることが、組み立て易さの観点からは好ましいが、少なくとも係止部１４、１６に上方に向かう付勢力を付与できればよいため、例えば正面板２２の幅方向両端部だけに所定幅で形成される構成としてもよいし、正面板２２の幅方向に所定間隔を隔てて３個以上形成される構成としてもよい。
【００３８】
また、反発フラップ４２は、中に収納する物品の上部に当接することにより反発力（付勢力）が得られるため、物品の高さは、正面板２２及び背面板２６の高さと略同じ高さ、より詳しくは、正面板２２及び背面板２６の高さよりも反発フラップ４２の反発力（付勢力）が得られる程度に低い高さとされることが望ましい（図１０参照）。そして、その物品は、反発フラップ４２を下方から支持できる程度の剛性を有することが望ましい。したがって、本実施形態に係る把手付き紙箱１０に収納される物品の種類は、図示のインクジェットペーパーＰなど、特定のものに限られる。
【００３９】
また、把手部１５及び係止部１４、１６に上方に向かう付勢力を付与できればよいため、反発フラップ４２の折罫８２の折り曲げ方向は逆にしてもよい。つまり、折罫８２は谷折りとしてもよい。また、付勢力を高めるために、反発フラップ４２の連設方向の長さを延長し、複数回交互に折り畳んで（蛇腹状にして）設ける構成にしてもよい。なお、この場合は、反発フラップ４２の反発力（付勢力）が得られる範囲内であれば、物品の高さが、図１０で示すものより低くなっても対応可能となる利点がある。
【００４０】
更に、この把手付き紙箱１０は、サイドフラップ４４、４６の孔部４４Ａ、４６Ａが、上方に向かって幅広となる略扇形状に形成され、かつ背面板２６に向かって傾いているので、係止部１４、１６を孔部４４Ａ、４６Ａに挿通したまま把手部１５を背面板２６側へ折り畳む（倒す）ことができ、サイドフラップ４４、４６を折罫８４、８６に沿って略９０度に折り曲げることができる。したがって、この把手付き紙箱１０は、店頭などにおいて、掛止孔１７を使用せずに、積み重ねて置くこともできるようになっている。
【００４１】
以上、説明したように、本実施形態に係る把手付き紙箱１０は、付勢部１３としての付勢板４０及び反発フラップ４２により、把手部１５及び係止部１４、１６を上方に向かって付勢することができる。したがって、サイドフラップ４４、４６の孔部４４Ａ、４６Ａに挿入された係止部１４、１６が、その孔部４４Ａ、４６Ａから外れ難くできる。また、把手部１５及び係止部１４、１６を上方に向かって付勢する付勢力は、物品に支持された反発フラップ４２の付勢板４０に対する反発力によるので、付勢部１３の構成が簡易で済む。
【００４２】
なお、本実施形態に係る把手付き紙箱１０は、図示の実施例に限定されるものではなく、本発明の要旨を逸脱しない範囲内において、適宜設計変更可能なものである。例えば、ジッパー５８を破断して紙箱１０を開封した後は、反発フラップ４２が不要となるため、付勢板４０毎切り離せるように、付勢板４０はミシン目８０を介して正面板２２に連設されることが好ましいが、付勢板４０は折罫を介して正面板２２に連設されていてもよい。
【００４３】
また、図示の把手部１５は、後部把手板５０と前部把手板５２とを貼り合わせて構成したが、後部把手板５０と前部把手板５２とを貼り合わさないで構成してもよい。但し、後部把手板５０と前部把手板５２とを貼り合わせて把手部１５が構成されていると、製品としての見栄えが良くなるので好ましい。
【００４４】
また、後部把手板５０と前部把手板５２とが貼り合わされて把手部１５が構成されていても、係止部１４、１６の鈎状部分１４Ａ、１６Ａが、孔部４４Ａ、４６Ａの上縁部４４Ｂ、４６Ｂに強固に係止されるので、後部把手板５０と前部把手板５２とが互いに剥がれるようなことがない。したがって、製品としての品質を保つことができる。
【００４５】
また、紙箱１０の形状も図示のものに限定されるものではなく、係止部１４、１６が、サイドフラップ４４、４６の孔部４４Ａ、４６Ａに挿入・係止される（荷重に対して比較的強固な）構造の紙箱１０であればよい。更に、紙箱１０の材質もボール紙に限定されるものではなく、それと同等の厚紙類であればよい。
【００４６】
また、図示のものは、正面板２２に付勢板４０及び反発フラップ４２が連設され、背面板２６に後部天面板４８、後部把手板５０、前部把手板５２、前部天面板５４、貼着板５６が連設されているが、背面板２６に付勢板４０及び反発フラップ４２が連設され、正面板２２に後部天面板４８、後部把手板５０、前部把手板５２、前部天面板５４、貼着板５６が連設される構成としてもよい。
【図面の簡単な説明】
【００４７】
【図１】把手付き紙箱のブランク板を示す展開図
【図２】把手付き紙箱の胴部を組み立てる工程を示す概略斜視図
【図３】把手付き紙箱を組み立てたときの底部の構造を示す概略斜視図
【図４】把手付き紙箱を組み立てたときの天部の構造を示す概略斜視図
【図５】把手付き紙箱に物品を収納して天部を封止する工程を示す概略斜視図
【図６】把手付き紙箱に物品を収納して天部を封止する工程を示す概略斜視図
【図７】把手付き紙箱に物品を収納して天部を封止する工程を示す概略斜視図
【図８】把手付き紙箱に物品を収納して天部を封止する工程を示す概略斜視図
【図９】把手付き紙箱に物品を収納して天部を封止する工程を示す概略斜視図
【図１０】把手付き紙箱の天部及び付勢部の構造を示す概略側断面図
【符号の説明】
【００４８】
１０  紙箱
１１  胴部
１２  底部
１３  付勢部
１４  係止部
１５  把手部
１６  係止部
１７  掛止孔
１８  天部
２０  ブランク板
２２  正面板
２４  側面板
２６  背面板
２８  側面板
３０  貼着フラップ
３２  前部底面板
３４  側部底面板
３６  後部底面板
３８  側部底面板
４０  付勢板
４２  反発フラップ
４４  サイドフラップ
４４Ａ  孔部
４６  サイドフラップ
４６Ａ  孔部
４８  後部天面板
５０  後部把手板
５２  前部把手板
５４  前部天面板
５６  貼着板
５８  ジッパー
６０〜７８  折罫
８０  ミシン目
８２〜９６  折罫
Ｐ  インクジェットペーパー（物品）
【図１】
2009286438.tif 000003
【図２】
2009286438.tif 000004
【図３】
2009286438.tif 000005
【図４】
2009286438.tif 000006
【図５】
2009286438.tif 000007
【図６】
2009286438.tif 000008
【図７】
2009286438.tif 000009
【図８】
2009286438.tif 000010
【図９】
2009286438.tif 000011
【図１０】
2009286438.tif 000012